(57)【要約】【課題】  カウンタ情報や消耗部品情報は、表示部に表示するため、サービスマンがカウント値、集計や消耗部品情報や履歴情報を確認するためには本体から表示部へ電源が供給されている必要があり、電源が落とされている場合には、電源を投入して表示部が立ち上がってから表示部を操作して情報を収集する必要があった。【解決手段】  従来の操作部以外に電子ペーパーを用いた補助操作部を有し、補助操作部にはカウンタ情報や、ＪＡＭ履歴、部品カウンタ情報を表示する。  電子ペーパーはメモリ性を持っているため、最小限電源を供給すれば良いため省電力であるうえ、電源を落とした状態でも表示を保持するため、サービスマンは本体の電源を落とされた状態でもカウンタ情報を確認することができる。【選択図】  図８
2006201460.tif 000002
【特許請求の範囲】
【請求項１】
機能を設定するための入力手段を有する機能設定手段と、前記機能設定手段により設定された内容及び画像形成装置の動作情報、警告情報を表示部に表示するための表示手段と、前記表示部とは独立に表示するための補助表示部を有することを特徴とする画像形成装置。
【請求項２】
前記補助表示部は、画像形成装置の稼動時、停止時、電源断時、省電力モード時のいかなる場合でも表示を維持することを特徴とする請求項１に記載の画像形成装置。
【請求項３】
前記補助表示部は、画像形成装置のドアが開閉の検知、電源が断の検知もしくは、省電力モードに移行したことを検知し、そのタイミングで表示内容を更新することを特徴とする請求項１に記載の画像形成装置。
【請求項４】
請求項１に記載の前記補助表示部には、複写機の動作モード、課金カウンタ情報、メンテナンス情報、アラーム情報、サービス情報を表示することを特徴とする請求項１に記載の画像形成装置。
【請求項５】
請求項１〜４の補助表示部は、粒子移動型表示装置で、電気的駆動信号の供給切断後も表示状態を維持する不揮発性を有することを特徴とする画像形成装置。
【請求項６】
請求項１〜４の補助表示部は、電気泳動表示装置で、電気的駆動信号の供給切断後も表示状態を維持する不揮発性を有することを特徴とする画像形成装置。
【請求項７】
請求項１〜４の補助表示部は、液晶表示装置であることを特徴とする画像形成装置。
【請求項８】
請求項１〜４の補助表示部は、反射型液晶表示装置であることを特徴とする画像形成装置。
【請求項９】
請求項１〜４の補助表示部は、透過型液晶表示装置であることを特徴とする画像形成装置。
【請求項１０】
請求項１〜４の補助表示部は、半透過型液晶表示装置であることを特徴とする画像形成装置。
【請求項１１】
請求項１〜４の補助表示部は、コレステリック液晶表示装置であることを特徴とする画像形成装置。
【請求項１２】
請求項１〜４の補助表示部は、乾式トナー表示装置であることを特徴とする画像形成装置。
【請求項１３】
請求項１〜４の補助表示部は、有機ＥＬ表示装置であることを特徴とする画像形成装置。
【発明の詳細な説明】
【技術分野】
【０００１】
本発明は、画像形成に関する複数の機能を有する画像形成装置及び、それに用いられる表示画面変更方法および記憶媒体に関する。
【背景技術】
【０００２】
画像形成装置としては、例えば、スキャナとレーザービームプリンタから構成されるデジタル複写機などがあり、このデジタル複写機は、ＣＣＤラインセンサなどの光電変換素子を用いて原稿の画像を１ライン毎に画素単位で主走査方向に読み取りながら光電変換素子に対して原稿を副査方向に送ることにより原稿上の画像の読み取りを行い、光電変換素子によって読み取った画像を電子写真形成プロセスにより用紙上に形成するように構成されている。
【０００３】
このようなデジタル複写機には、画像形成に関する複数の機能が設けられ、各機能の設定においては、操作入力手段により各機能の設定、設定する機能に関する設定値などを指示し、設定が指示された機能、その設定値などを表示手段に表示することにより設定された機能、その設定値をユーザに確認させる方法が用いられている。
【０００４】
さらに、設定情報だけでなく画像形成装置の動作情報や、操作者への警告や画像形成装置のエラー情報も表示することができる。さらに、表示部の表示を切り替えることで出力された用紙枚数のカウンタ情報を記憶した内部メモリの情報を取得表示し課金情報の取得に利用したり、サービスマンのメンテナンス用として、消耗品の情報を内部のメモリに記憶しそのデータを表示させることで消耗品の交換情報に利用したり、ＪＡＭ履歴やエラー履歴などの表示をさせることが可能である。（例えば、特許文献１参照）。
【特許文献１】特開平１０−１９８２３６号公報
【発明の開示】
【発明が解決しようとする課題】
【０００５】
しかし、これらのカウンタ情報や消耗部品情報は、表示部に表示するため、サービスマンがカウント値、集計や消耗部品情報や履歴情報を確認するためには本体から表示部へ電源が供給されている必要があり、電源が落とされている場合には、電源を投入して表示部が立ち上がってから表示部を操作して情報を収集する必要があった。
【課題を解決するための手段】
【０００６】
以上の点に鑑み、本発明によれば以下の手段を講ずることにより上記不具合を解消するものである。
【０００７】
即ち、機能を設定するための入力手段を有する機能設定手段と、前記機能設定手段により設定された内容及び画像形成装置の動作情報、警告情報を表示部に表示するための表示手段と、前記表示部とは独立に表示するための補助表示部を有することにより問題を解決するものである。
【発明の効果】
【０００８】
以上説明したように、画像形成装置の表示部として通常の表示部に加え、軽量かつ軽量の電気泳動式のディスプレイを採用した補助用の表示部を有しており、補助用の表示部にはカウンタ情報、消耗部品情報やＪＡＭやエラーの履歴の情報を表示させており、この情報は電力や画像信号の供給中止後であっても残存するためいつでも必要な情報の取得が可能であるため作業を効率的に行うことが可能であるだけでなく、情報を更新するときにだけ電源を供給すればよいため消費電力が少なくてすむうえ、軽量であるため機体の前ドアの後ろ等わずかなスペースがあれば表示部を設けることができる。
【発明を実施するための最良の形態】
【０００９】
以下に本発明の実施の形態について図を参照しながら説明する。
【００１０】
図５は、本発明の画像形成装置の構成を示すブロック図、図１は画像形成装置のハードウェア構成を示す図である。なお、本実施の形態では、画像形成装置としてデジタルカラー複写機を例に説明する。
【００１１】
デジタルカラー複写機は、図５に示すように、カラーの原稿画像を読み取り可能なスキャナ３０９と、電子写真形成プロセスによりスキャナ３０９で読み取った画像をその色を再現して用紙上に形成する印刷出力を行うプリンタ３１０と、画像形成処理に関する各機能の設定をハードキーおよびソフトキーにより行う操作部３１１と、操作部３１１により設定された機能およびその内容を表示するための液晶表示パネルからなるメイン表示部である表示部３１２と、軽量かつ薄い電気泳動式のディスプレイ２４を採用した補助表示部３１３を備えている。
【００１２】
これらの、スキャナ３０９、プリンタ３１０、操作部３１１、およびメイン表示部３１２及び補助表示部３１３に対する制御は、コントローラ３２１により行われる。
【００１３】
なお、本実施の形態では、表示部３１２を操作部３１１と一体的に構成するとともに、３１２の画面上にタッチパネル（図示せず）を設けてソフトキーを形成するように構成している。
【００１４】
コントローラ３２１は、プログラムＲＯＭ３０３に格納されているプログラムおよびデータＲＯＭ３０４に格納されているデータに従いシステム制御を行うとともに各機能に関する制御を実行するＣＰＵ３０１を有する。ＣＰＵ３０１による演算、処理の結果は一時的にＲＡＭ３０２に格納される。さらにＲＡＭ３０２は、カウント値、ＪＡＭやサービスエラーの履歴情報、消耗部品の情報等を記憶するためのバックアップの機能を有するバックアップＲＡＭとしても利用される。ＣＰＵ３０１には、上述のプログラムＲＯＭ３０３、データＲＯＭ３０４、ＲＡＭ３０２とともにスキャナＩ／Ｆ（入力部インタフェイス）３０５、プリンタＩ／Ｆ（印刷部インタフェイス）３０６、操作入力部Ｉ／Ｆ（操作部インタフェイス）３０７、表示部コントローラ３０８、捕縄表示部コントローラ３１４がシステムバス３２０を介して接続されている。
【００１５】
スキャナＩ／Ｆ３０５には上述のスキャナ３０９が接続され、スキャナＩ／Ｆ３０５はコントローラ３２１とスキャナ３０９との間でのデータの転送を制御する。プリンタＩ／Ｆ３０６には上述のプリンタ３１０が接続され、プリンタＩ／Ｆ３０６はコントローラ３２１とプリンタ３１０との間でのデータの転送を制御する。操作入力部Ｉ／Ｆ３０７には上述の操作部３１１が接続され、スキャナＩ／Ｆ３０５は操作部３１１のハードキーまたはソフトキーの押下に応じて生成されたキー信号を取り込み、システムバス３２０を介してＣＰＵ３０１に送出する。表示部コントローラ３０８には上述の表示部３１２が接続され、表示部コントローラ３０８はＣＰＵ３０１の指示に基づき表示部３１２に対する表示制御を行う。補助表示用コントローラ３１４は、補助表示部３１３を駆動する回路で、ＲＡＭ３０２上のデータに基づいて表示データを作成し表示部を駆動して表示データを表示する。
【００１６】
補助表示部３１３は、不揮発性ディスプレイ２４に対し所定の電場を形成させ、ディスプレイ媒体を構成する粒子を物理的に移動（泳動）させることにより表示動作を行っている。このため、補助表示用コントローラ３１４の駆動を停止した場合であっても、移動（泳動）した粒子は一定期間その状態を保持できるため、結果として表示内容が一定期間保持される特質を有している。この表示内容を保持する期間（以下、表示保持期間と記述する）は、ディスプレイ媒体２４を構成する粒子の大きさや種類によるが、例えば数日〜数十日の表示保持期間を確保することも可能である。一方、一度表示を行うために補助表示用コントローラ３１４を駆動する時間は数十μｓｅｃ程度であるため、補助表示用コントローラ３１４は短時間だけ駆動させればいいので消費電力も微小に抑えることが可能である。例えば、表示に必要な電流を５０μＡとして、駆動時間０．１ｍＳｅｃとすると、０．５ｍＷで表示できる。
【００１７】
さらに、この補助用表示部のディスプレイは、厚さが０．５ｍｍ程度と非常に薄く、視認性も高くバックライト等の光源を必要としないため場所を取らず外装の一部に設置することも可能である。
【００１８】
次に、本デジタルカラー複写機の構成について図１参照し説明する。
【００１９】
本デジタルカラー複写機は、図１に示すように、スキャナ３０９およびプリンタ３１０を一体的に構成する。スキャナ３０９は、読取対象の原稿２２７が置かれるプラテンガラス２２８を有し、このプラテンガラス２２８に置かれた原稿２２７は露光ランプ２２９により露光走査され、露光ランプ２２９の照射による原稿からの反射光像は、レンズ２３０を介してフルカラーセンサ（以下、ＣＣＤという）２３１の撮像面に結像される。ＣＣＤ２３１に結像された光学像は光電変換によりカラー色分解画像信号に変換されて出力される。ＣＣＤ２３１から出力されたカラー色分解画像信号は、ビデオ処理ユニットなどで所定の処理が施された後に、プリンタ３１０に出力される。
【００２０】
プリンタ３１０は、スキャナ３０９からのカラー色分解画像信号に基づきレーザドライバ（図示せず）を駆動してレーザ光Ｅを発光し、該レーザ光Ｅを感光ドラム２０１に対して走査しながら照射するレーザ露光光学系２０３を有する。レーザ露光光学系２０３は、ポリゴンミラー２０３ａで発光されたレーザ光Ｅを走査し、このレーザ光Ｅをレンズ２０３ｂおよびミラー２０３ｃを介して感光ドラム２０１に導くように構成され、感光ドラム２０１上には照射されたレーザ光Ｅにより対応する色の静電潜像が形成される。
【００２１】
感光ドラム２０１の周囲には、この感光ドラム２１０に対応する色の現像剤を供給して感光ドラム２０１上の静電潜像を対応する色の現像剤像として可視像化するための４つの現像器２０４Ｙ，２０４Ｃ，２０４Ｍ，２０４ＢＫ（Ｙ；イエロー，Ｃ；シアン，Ｍ；マゼンタ，ＢＫ；ブラックの各色の現像器）と、感光ドラム２１０上を除電する前露光ランプ２１１と、感光ドラム２１０上を所定の電位に帯電させるコロナ帯電器２０２と、ドラム上光量検知手段２１３と、感光ドラム２０１上に残留している現像剤を除去するためのクリーニング器２０６と、転写装置２０５とが配置されている。各現像器２０４Ｙ，２０４Ｃ，２０４Ｍ，２０４ＢＫによる現像の際には、各現像器２０４Ｙ，２０４Ｃ，２０４Ｍ，２０４ＢＫがそれぞれに対応する偏心カム２２４Ｙ，２２４Ｃ，２２４Ｍ，２２４ＢＫにより択一的に感光ドラム２０１に接近するように構成されている。転写装置２０５は、転写ドラム２０５ａと、転写帯電器２０５ｂと、用紙を転写ドラム２０５ａに静電吸着させるための吸着帯電器２０５、吸着帯電器２０５に対向する吸着ローラ２０５ｇ、内側帯電器２０５ｄおよび外側帯電器２０５ｅとを有し、回転駆動する転写ドラム２０５ａの周面開口域には、ポリカーボネートフィルムなどの誘電体からなる用紙担持シート２０５ｆが円筒状に一体的に張設されている。
【００２２】
また、カセット２０７ａ，２０７ｂ，２０７ｃのいずれか一つから用紙がそれぞれに設けられた給紙ローラ２３２，２３３により給紙され、この用紙はその先頭位置が感光ドラム２０１の静電潜像の形成先頭位置に一致するタイミングでレジストローラにより、感光ドラム２０１と転写装置２０５との間に搬送される。感光ドラム２０１と転写装置２０５との間に搬送された記録紙には、感光ドラム２０１に形成された現像剤像が転写装置２０５により転写される。具体的には、搬送された用紙が吸着帯電器２０５および吸着ローラ２０５ｇによって転写ローラ２０５ａに静電吸着され、用紙担持シート２０５ｆに担持される。転写ドラム２０５ａの回転に伴い用紙には転写帯電器２０５ｂにより感光ドラム２０１上の現像剤像が転写される。このように、用紙担持シート２０５ｆで吸着搬送される用紙には、対応する色画像が転写され、フルカラー画像が形成され、機外に出力される。
【００２３】
このとき、排出した用紙の用紙サイズ及びカラー／白黒の情報に応じて、ＲＡＭ３０２に記憶されたカウンタ情報が更新される。
【００２４】
転写後、感光ドラム２０１上に残留している現像剤はクリーニング器２０６で取り除かれ、再度画像形成工程が供される。また、転写ドラム２０５ａの用紙担持シート２０５ｆへの飛散した現像剤の付着、用紙上のオイルの付着などを防止するために、ファーブラシ２１４と用紙担持シート２０５ｆを介して該ブラシ２１４に対向するバックアップブラシ２１５、オイル除去ローラ２１６と用紙担持シート２０５ｆを介して該ローラ２１６に対向するバックアップブラシ２１７の作用により、清掃を行うように構成されている。このような清掃は画像形成前または後に実行され、また、ジャム（紙詰り）発生時には随時行われる。
【００２５】
フルカラー画像形成の場合、上述のようにして４色のトナー像の転写を終了すると転写ドラム２０５ａから用紙が分離爪２０８ａ、分離押上コロ２０８ｂおよび分離帯電器２０５ｈの作用によって転写ドラム２０５ａから分離され、分離された用紙は熱ローラ定着器２０９に送られる。熱ローラ定着器２０９は、用紙を熱圧することにより用紙に転写された現像剤像を用紙上に定着する。熱ローラ定着器２０９を通過した用紙は切換フラッパ２１９に向けて送りだされ、切換フラッパ２１９は用紙をモードに応じた搬送経路内に導くように切換動作を行う。具体的には、片面記録モードにおいては、用紙が切換フラッパ２１９により排紙経路内に導かれ、排紙経路内に導かれた用紙はトレイ２１０に排出される。両面記録モードの場合、用紙は切換フラッパ２１９により搬送縦パス２２０を経て反転パス２２１ａに一旦導かれ、反転ローラ２２１ｂの逆転により用紙が送り込まれた際の後端を先頭にして送り込まれた方向と反対の向きに退出させ、中間トレイ２２２に収容される。中間トレイ２２２に収容された用紙は再び上述の画像形成工程に送られ、用紙の他方の面に現像剤像が転写される。
【００２６】
なお、本例においては、所望のタイミングで偏心カム２２５を動作させ、転写ドラム２０５ａと一体化しているカムフォロワ２０５ｉを作動させることにより、用紙担持シート２０５ｆと感光ドラム２０１とのギャップを任意に設定可能な構成としている。例えば、スタンバイ中または電源オフ時には、転写ドラム２０５ａと感光ドラム２０１との間に間隔を設けるようにする。
【００２７】
また、ＲＡＭ３０２には、転写ドラム、各種ローラ等の消耗品部品のカウントを有しており、これらの一連のコピー動作で使用した部品について用紙１枚を出力するごとに使用カウンタが加算されていく。
【００２８】
さらに、コピー出力の過程でＪＡＭやサービスコールが発生すると、発生時間、発生個所、発生要因等の情報が履歴としてＲＡＭ３０２に記憶される。
【００２９】
次に、上述の表示部３１２が一体的に設けられている操作部３１１の構成について図６参照しながら説明する。
【００３０】
操作部３１１は、図６示すように、各種モードを設定するための複数のモード設定キー１０１〜１１５、「＃」および「＊」を含むテンキー群１２０〜１３１、スタートキー１１７、ストップキー１１８、リセットキー１１９の各ハードキーを有し、各モード設定キー１０１〜１１５にはその押下により対応する動作モードが設定されたことを表すためのＬＥＤ（図示せず）が設けられている。操作部３１１には、上述したように、表示部３１２が一体的に設けられ、表示部３１２は、ソフトキーを表示可能なようにタッチパネルが貼り付けられているソフトキー表示部１１６を有する。
【００３１】
複数のモード設定キー１０１〜１１５を含むハードキー、ソフトキー表示部１１６のソフトキーの各キー入力操作に基づき設定された内容を表示部３１２に表示する表示システムがプログラムＲＯＭ３０３に格納されているプログラムを実行することによって構築される。さらに、表示部３１２は、設定情報だけでなく“コピーできます。”等の機器の情報や、ＪＡＭ時にはＪＡＭ処理方法も表示される。
【００３２】
次に補助表示部３１３について図８の補助操作部の表示フローチャートを用いて説明する。このフロ−チャ−ト中のＳ８０１〜Ｓ８０７は、各ステップを示す。
【００３３】
まず、補助表示部の表示情報から説明する。図７は、補助表示部に表示された情報の表示例を示すものである。
【００３４】
補助表示部３１３には、カウンタ情報として用紙サイズ、色モードごとのカウント値（７０１）、ＪＡＭの発生日時、時間、発生個所、発生要因、給紙段、給紙段のカウント値、用紙サイズのＪＡＭ履歴表示（７０２）及びエラーの発生日時、時間、発生エラーコードの履歴（７０３）が表示されている。これらの表示は、操作部３１１の設定により表示部３１２でも表示することが可能である。また、補助表示部３１３は、本体内部の前ドアの裏側等通常は見えない部分に配置されていることが多いため、通常電源が入れられているときは表示部３１２でカウント情報や履歴情報等を確認し、電源が落とされているときやサービスマンのメンテナンスの時は補助表示部３１３で表示を確認することになる。
【００３５】
また、補助表示部３１３に表示できる情報についても操作部３１１で任意に設定可能で、補助表示部３１３は設定された表示内容に従って必要な情報のみを表示する。
【００３６】
補助表示部は、電源断（Ｓ８０１）、省電力モードへ移行するか（Ｓ８０２）、前ドアが開けられたか（Ｓ８０３）が常に監視されており、これらを検知すると、ＲＡＭ３０２からカウンタ情報、履歴情報、消耗部品情報を読み出してくる（Ｓ８０４）。次に表示に必要な情報から表示情報を作成し、補助表示用コントローラ３１４を駆動して（Ｓ８０５）表示データを補助表示部に描画する（Ｓ８０６）。情報の描画をされたら補助表示用コントローラ３１４の駆動を停止させるが、補助表示部３１３は不揮発性のディスプレイのため電源が供給されていない状態でも表示内容が保持される（Ｓ８０７）。
【００３７】
次に補助表示部３１３の詳細について説明する。
【００３８】
図２は、ＥＰＤ（電気泳動現象を利用したディスプレイ）方式の表示部について示している。これは、２枚のプラスチックフィルムの間に帯電したトナーを封じ込めて、トナーの面内分布を電気的に変化させて画像を形成するというもの。表示部２０は、ＴＦＴ部２２、接着剤層２３、カプセル化したディスプレイ媒体２４、および樹脂素材２６を備える。ＴＦＴ部２２がディスプレイ媒体２４に電場を印加すると、ディスプレイ媒体２４内の帯電したトナーは極性に応じてどちらかの電極上に静電吸着し、その表面を被う。ここで一方の電極を面積の小さな黒色、他方を面積の大きな白色にしておくことで、コントラストを発生させて画像を形成するという仕組みである。なお、画像形成後、電気を切っても電極表面に吸着されたトナーはその状態を保持するため、表示画像には不揮発性がある。（電気泳動の詳細は、図４で説明する。）
図３は、ＴＦＴ部２２の実現方法を示しており、「特登録０２５４７３１４  液晶表示装置の駆動回路」の中で説明されている表示領域に配置された各絵素にスイッチング素子を付加したマトリックス型表示装置の駆動回路に関するものである。
【００３９】
図３（Ａ）（Ｂ）はマトリックス型表示装置の基本的なブロック回路を示す回路構成図及び行・列電極に加えられる信号波形の１例を示すタイミング波形図である。１１は表示パネルであり直交する方向に多数本配列された行電極１１−ａと列電極１１−ｂの各交点でスイッチングトランジスタ１１−ｃが形成され、スイッチングトランジスタ１１−ｃのゲート電極が行電極１１−ａに、ソース電極が列電極１１−ｂに、ドレイン電極がマトリックス状に配置された表示絵素電極にそれぞれ接続されることにより構成されている。１２は行電極駆動回路であり図３（Ｂ）に示すＰｓのような走査パルスを各行電極に出力する。１３は列電極駆動回路でＰＤのような表示内容に対応したデータ波形を各列電極に出力する。１４は行および列電極駆動回路を動作させるための制御回路である。
【００４０】
このような表示装置において、走査パルスＰｓにより表示領域のある行が選択されスイッチングトランジスタ１１−ｃがオン状態となると、データ波形ＰＤのその行に対応する電圧がスイッチングトランジスタ１１−ｃを介して表示絵素電極に供給され、表示絵素電極とこれに対向する対向電極間に位置する電子ディスプレイ媒体１１−ｄに電圧が印加される。次にこの行が非選択となるとスイッチングトランジスタはオフ状態となり、表示絵素電極と列電極は切り離されるため、電子ディスプレイ媒体１１−ｄに印加されていた電圧はデータ波形の影響を受けることなくそのまま保持され、これが行方向に順次反復されてクロストークのない鮮明な表示パターンが得られる。
【００４１】
図４の一連の図は、ディスプレイ媒体２４の仕組みを説明するものである。
【００４２】
図４ａは電気泳動ディスプレイ１３０を示す。バインダ１３２は、複数の粒子１３６および染色懸濁流体１３８を充填された少なくとも１つのカプセル１３４を含む。１実施形態において、粒子１３６はチタニア粒子である。適切な極性の直流電界がカプセル１３４に印加される場合には、粒子１３６がディスプレイの視覚面へと移動して、光を散乱する。印加された電界が逆転される場合には、粒子１３６はディスプレイの背面に移動し、そしてディスプレイの視覚面は、暗く見える。
【００４３】
図４ｂは別の電気泳動ディスプレイ１４０を示す。このディスプレイは、第１のセットの粒子１４２および第２のセットの粒子１４４をカプセル１４１内に含む。第１のセットの粒子１４２および第２のセットの粒子１４４は、対照をなす光学特性を有する。例えば、第１のセットの粒子１４２および第２のセットの粒子１４４は、異なる電気泳動移動度を有し得る。加えて、第１のセットの粒子１４２および第２のセットの粒子１４４は、対照をなす色を有し得る。例えば、第１のセットの粒子１４２は白で、第２のセットの粒子１４４は黒であり得る。カプセル１４１は実質的に透明な流体をさらに含む。カプセル１４１は、カプセル１４１を隣接して堆積された電極１４６および１４６’を有する。電極１４６、１４６’は、電圧源４８に接続されており、カプセル４４１に交流（ＡＣ）電界または直流（ＤＣ）電界を提供し得る。電極１４６，１４６’に電界を印加する際に、第１のセットの粒子１４２は電極１４６’に向かって移動するが、第２のセットの粒子１４４は電極１４６に向かって移動する。
【００４４】
図４ｃは懸濁粒子ディスプレイ１５０を示す。懸濁粒子ディスプレイ１５０は、透過な流体１５４中に針状の粒子１５２を含む。粒子１５２は、電極１５６，１５６’にＡＣ電界を印加する際に、方向を変える。ＡＣ電界が印加されると、粒子１５２は表示面に対して垂直に方向付けされて、ディスプレイは透明に見える。ＡＣ電界が取り除かれると、粒子１５２は不規則に方向付けられて、ディスプレイ１５０は不透明に見える。
【００４５】
図４ａ〜図４ｃに提供された電気泳動ディスプレイは単なる実施例であり、他の電気泳動ディスプレイが本発明にしたがって使用され得る。電気泳動ディスプレイの他の例は、共有に係わる同時係属中の米国特許出願シリアル番号０８／９３５，８００および０９／１４０，７９２で説明されており、本明細書中で参考として援用する。
【００４６】
別の詳細な実施形態において、表示媒体は、図４ｄに示されるような複数の重クロム球体を含み得る。重クロム球体１６０は通常、第１の色の正に帯電された半球１６２および第２の色の負に帯電された半球１６４を液状媒体１６６内に含む。電極１６８，１６８’のペアを介して球体１６０中に電界を印加する際に、球体１６０は、回転して２つの半球１６２，１６４のうち１つの色を表示する。
【図面の簡単な説明】
【００４７】
【図１】画像形成装置の概略断面を示す図である。
【図２】電子ディスプレイの断面を示す図である。
【図３】ＴＦＴ部の実現方法でスイッチングトランジスタを付加したマトリックス型表示装置を示し、（Ａ）はブロック図、（Ｂ）は駆動波形図である。
【図４】ａは、電子ディスプレイ媒体の部分的断面図である。  ｂは、電子ディスプレイ媒体の部分的断面図である。  ｃは、電子ディスプレイ媒体の部分的断面図である。  ｄは、電子ディスプレイ媒体の部分的断面図である。
【図５】本発明の画像形成装置の構成を示すブロック図である。
【図６】操作部の構成を示す概観図である。
【図７】補助表示部の表示例である。
【図８】補助操作部の表示フローチャートである。
【図１】
2006201460.tif 000003
【図２】
2006201460.tif 000004
【図３】
2006201460.tif 000005
【図４】
2006201460.tif 000006
【図５】
2006201460.tif 000007
【図６】
2006201460.tif 000008
【図７】
2006201460.tif 000009
【図８】
2006201460.tif 000010